(57)【要約】      （修正有）【課題】体積を小さくして保管することができ、構成する部品が少ないことで保管時の管理や組立が容易な組立式パネルを提供する。【解決手段】折り畳み可能な複数のセルを伸ばすことでパネル状になるコア材７と、コア材７の上下端縁に各々付設した棒状のフレーム部材３，４とフレーム部材３，４の端部に連接した棒状のアーム部材５，６とを有したベース体と、ベース体の表裏面に被着される平面体８とを備えた組立式パネル。【選択図】図１
2016176286.tif 000002
【特許請求の範囲】
【請求項１】
上下方向に折り畳み可能な複数のセルを有し該複数のセルを伸ばすことでパネル状になるコア材と、前記コア材の上下端縁に各々付設した棒状のフレーム部材と該フレーム部材の端部に連接した棒状のアーム部材とを有したベース体と、前記ベース体の表面に被着される平面体とを備え、前記アーム部材における前記フレーム部材と連接する端部に回動部を設けることで該アーム部材を回動可能とし、前記フレーム部材に前記平面体を被着する被着部を設け、保管時においては前記コア材が圧縮され前記アーム部材を該アーム部材と前記フレーム部材とが並列に並ぶように回動し、使用時においては前記折り畳みコア材を伸ばすと共に前記アーム部材を該コア材の側縁に近づくよう回動させて該アーム部材と前記フレーム部材とで四角形状の外枠を形成し、且つ前記フレーム部材の被着部に前記平面体を被着してパネルを構成することを特徴とした組立式パネル。
【請求項２】
前記上下のフレーム部材間を前記アーム部材で掛架して四角形状の外枠が構成されるよう、前記フレーム部材の端部または前記アーム部材の自由端部のいずれか一方に係着部を設け、前記フレーム部材の端部または前記アーム部材の自由端部のいずれか他方に前記係着部と係着する係着受部を設けることを特徴とした請求項１に記載の組立式パネル。
【請求項３】
前記フレーム部材の各端部に前記アーム部材を配し、上方のフレーム部材に連接したアーム部材の自由端部に係着部を設け、下方のフレーム部材に連接したアーム部材の自由端部に係着受部を設け、使用時においては上下の前記フレーム部材の各端部に連接した前記アーム部材を前記コア材の側縁に近づけるように回動させ、前記上方のフレーム部材に連接したアーム部材の係着部と、前記下方のフレーム部材に連接したアーム部材の係着受部とを係着して四角形状の外枠を形成することを特徴とした請求項１に記載の組立式パネル。
【発明の詳細な説明】
【技術分野】
【０００１】
本発明は、組立式パネルに関する。
【背景技術】
【０００２】
学校の体育館や公民館などの広いスペースは、災害時の避難所として利用されることがあり、またその広いスペースは段ボール箱を広げてパネル状にしたもので仕切る場合がある。
前記段ボールは、その内部に波形状の中芯で区画された空洞部を有しており、断熱性や遮音性に優れ、また軽量で丈夫であるといった利点があることから、前述したスペースを少人数単位に区分けする際の間仕切り用のパネルとして、使用するのに適したものである。
しかしながら前記段ボールは、折り畳んだ際でも、内部に空洞を有していることから体積が大きくなってかさばりやすく、学校の体育館や公民館などにパネル用として多くを備蓄する際には、それに応じたスペースが必要になってしまっていた。
【０００３】
そこで段ボールの問題を解消する手段として特許文献１や特許文献２では、伸縮自在なハニカム状のコア材を組立式パネルのコア材として用いる技術が提案されている。具体的には伸ばした状態のコア材を枠材で囲むと共に、表面材や裏面材を枠材あるいはコア材の表裏面に貼り付けることで、段ボールと同様の断熱性や遮音性と強度を兼ね備えたパネルを形成するものであり、未使用時にはコア材を縮めて体積を小さくすることで、保管するスペースを小さくする技術が記載されている。
【０００４】
ところが前述の特許文献１や特許文献２に記載されている組立式パネルは、個別に分かれた部品が多い為に枠を四角形状に組み上げるのに手間が掛り、さらに保管時の部品管理にも注意が必要になる場合があった。
【先行技術文献】
【特許文献】
【０００５】
【特許文献１】特開平７−２１７０６３号公報
【特許文献２】特許５１３０１０８号公報
【発明の概要】
【発明が解決しようとする課題】
【０００６】
本発明は、前記問題を鑑みて、体積を小さくして保管することができ、構成する部品が少ないことで保管時の管理や組立が容易な組立式パネルを提供することを課題とする。
【課題を解決するための手段】
【０００７】
本発明は、
「上下方向に折り畳み可能な複数のセルを有し該複数のセルを伸ばすことでパネル状になるコア材と、前記コア材の上下端縁に各々付設した棒状のフレーム部材と該フレーム部材の端部に連接した棒状のアーム部材とを有したベース体と、前記ベース体の表面に被着される平面体とを備え、前記アーム部材における前記フレーム部材と連接する端部に回動部を設けることで該アーム部材を回動可能とし、前記フレーム部材に前記平面体を被着する被着部を設け、保管時においては前記コア材が圧縮され前記アーム部材を該アーム部材と前記フレーム部材とが並列に並ぶように回動し、使用時においては前記折り畳みコア材を伸ばすと共に前記アーム部材を該コア材の側縁に近づくよう回動させて該アーム部材と前記フレーム部材とで四角形状の外枠を形成し、且つ前記フレーム部材の被着部に前記平面体を被着してパネルを構成することを特徴とした組立式パネル。
２．前記上下のフレーム部材間を前記アーム部材で掛架して四角形状の外枠が構成されるよう、前記フレーム部材の端部または前記アーム部材の自由端部のいずれか一方に係着部を設け、前記フレーム部材の端部または前記アーム部材の自由端部のいずれか他方に前記係着部と係着する係着受部を設けることを特徴とした前記１項に記載の組立式パネル。
３．前記フレーム部材の各端部に前記アーム部材を配し、上方のフレーム部材に連接したアーム部材の自由端部に係着部を設け、下方のフレーム部材に連接したアーム部材の自由端部に係着受部を設け、使用時においては上下の前記フレーム部材の各端部に連接した前記アーム部材を前記コア材の側縁に近づけるように回動させ、前記上方のフレーム部材に連接したアーム部材の係着部と、前記下方のフレーム部材に連接したアーム部材の係着受部とを係着して四角形状の外枠を形成することを特徴とした前記１項に記載の組立式パネル。」である。
【０００８】
本発明の組立式パネルにおけるコア材は、例えばＪＩＳ Ａ ６９３１：１９９４に規定されている折り畳み式のパネル用ペーパーコアを好適に用いることができる。ペーパーコアは折り畳まれた状態から伸ばした状態にすることで、六角形や円形の貫通孔を有したセルが広がり、コア材がパネル状になるものである。
尚、コア材を形成する材料は、紙以外にも、合成樹脂やアルミなどを用いることができるが、コストや加工性に優れていることから紙が好ましい。
また、コア材は複数のコア材を連結して使用してもよく、複数のコア材を連結することでコア材をパネル状にした時の大きさを大きくすることができる。更に、コア材同士の連結箇所に一定の強度を有する棒状の軸芯を設けることでコア材をパネル状にした際の強度を増加できる。
【０００９】
前記コア材の上下端縁に各々付設した上下のフレーム部材は、本発明の組立式パネルの枠の一部となり、材料としては紙、木、合成樹脂、アルミなどを用いることができる。
また、コア材の上下端縁に付設するフレーム部材は、接着剤または両面テープなどの粘着剤によりフレーム部材をコア材に貼り付けることで固定することができ、タッカーを用いてコア材を針でフレーム部材に固定してもよい。あるいは、コア材のセルとフレーム部材とを針金や紐で縛り付けて固定することもできる。
前述のようにコア材の上下端縁にフレーム部材を固定することで、上下のフレーム部材を把持して離間させることによりコア材の伸縮を容易に行えるものとなる。
【００１０】
また、フレーム部材の端部に連接するアーム部材は、アーム部材をフレーム部材の端部から延出させることでフレーム部材とアーム部材とを一体に形成してもよく、アーム部材をフレーム部材とは別体で形成してもよい。更に、アーム部材とフレーム部材の端部同士を接着して直接あるいは継手などを用いて間接的に接続してもよい。
尚、フレーム部材に連接して形成するアーム部材は上下のフレーム部材の両端部に連接させてもよく、上下いずれか一方のフレーム部材の両端部に連接させてもよく、更に上下のフレーム部材のいずれか一方の端部にのみ連接させてもよい。
また、アーム部材におけるフレーム部材と連接する端部に設ける回動部は、アーム部材の表面にフレーム部材に対してアーム部材を折り曲げることができる程度の凹部を設けて回動できるようにしてもよく、アーム部材の端部に蝶番を形成してフレーム部材に対してアーム部材を自由に回動できるようにしてもよく、アーム部材の一部を柔軟性のある素材で構成することで回動できるようにしてもよい。
【００１１】
更に、フレーム部材の表面に設ける被着部は、例えばフレーム部材の表面に剥離層を有する両面テープを貼り付けておくことで、組立時に剥離層を剥して平面体を被着してもよく、被着部と平面体の表面とに互いに着脱自在な留め具を形成することで不使用時には分解できるようにしてもよい。
【００１２】
また、フレーム部材の表面に設けた被着部に被着する平面体の材料は、平面状の紙や合成樹脂などで形成することができ、材料の厚みは必要に応じて任意に設定できるが、薄く形成した場合には、平面体を保管する際に丸めて筒状にするなど、保管場所の状況に合わせて形態を変化させることができる。
【００１３】
本発明におけるコア材とフレーム部材とアーム部材とで構成されるベース体は、保管時においてはコア材を圧縮すると共にアーム部材を回動して該アーム部材とフレーム部材とが並列になるように並べることで、アーム部材が邪魔にならず、ベース体をコンパクトな形態にまとめることができ、少ないスペースでベース体の保管が可能になる。この時、アーム部材の長さがフレーム部材の長さより長い場合、アーム部材の自由端部が外方へ突出して邪魔になるため、アーム部材に回動部を複数設けて折り返せるようにすることが好ましい。
更に、本発明では組立式パネルを組み立てるのに必要な部品が、ベース体と平面体の２つの部品で構成されているため保管時に部品の管理が容易で紛失するリスクを減らすことが可能である。  
【００１４】
また、組立式パネルを組み立てるときには、コア材を上下方向に伸ばすと共に、アーム部材をコア材の側縁に近づけるように回動し、フレーム部材とアーム部材とを係着させることで容易に四角形状の外枠を形成することが可能である。このとき、コア材は複数のセルを伸ばしているためセルが折り畳まれた元の状態に戻ろうと収縮する力が発生する場合があるが、アーム部材を外枠として固定することでコア材を伸ばした状態で維持することができる。尚、アーム部材を固定する手段としては、上下両方のフレーム部材に連接したアーム部材の自由端同士を係着させてもよく、上下のいずれか一方のフレーム部材に連接したアーム部材と他方のフレーム部材の端部とを係着させてもよい。
【００１５】
更に、フレーム部材の端部またはアーム部材の自由端部のいずれか一方に係着部を設け、フレーム部材の端部またはアーム部材の自由端部のいずれか他方に係着部と係着する係着受部を設け、アーム部材を回動することでフレーム部材間を該アーム部材で掛架し、係着部と係着受部を係着することで四角形状の外枠を形成することができる。アーム部材の自由端部とフレーム部材の端部を係着する手段としては、例えば係着部を凸状に形成し、係着受部を凹状に形成し、凸状の係着部を凹状の係着受部に挿入して係着させてもよく、係着部を凹状に形成し、係着受部を凸状に形成して係着させてもよい。更に係着部又は係着受部に両面テープなどの粘着剤を貼り付け、係着部と係着受部とを貼り合わせて係着してもよい。
【００１６】
また、上下のアーム部材の自由端部同士を係着する手段としては、例えば上方のアーム部材の係着部を凸状に形成し、下方のアーム部材の係着受部を凸状の係着部が嵌るように孔状に形成し、凸状の係着部を孔状の係着受部に挿入して係着させてもよく、係着部を孔状に形成し、係着受部を凸状に形成して係着させてもよい。他の手段としては、上方のアーム部材の係着部にＬ字状の鉤部を設け、下方のアーム部材の係着受部に上方のアーム部材の鉤部と係合し、上方のアーム部材の鉤部と向きが逆のＬ字状の鉤部を設けて係着させてもよく、アーム部材の係着部又は係着受部に両面テープなどの粘着剤を貼り付け、係着部と係着受部とを貼り合わせて係着してもよい。
【００１７】
尚、コア材を伸ばしてパネル状にすると、コア材の上下両端部から中央部に向かって横幅が徐々に短縮されて該コア材の側縁に凹みが生じる場合がある。これはコア材をハニカム構造で形成した場合、コア材の上下両端縁がフレーム部材と固定されることにより、コア材の上下両端縁付近が拘束されてセルを縦方向に十分に広げることができなくなり、これに対しコア材の中央部付近は自由にセルを広げることができるため中央部はセルが広がった分、横幅が短縮されて側縁に凹みが生じるためである。この状態でアーム部材を回動してコア材の側縁に近づけると、アーム部材とコア材の側縁との間に隙間ができてしまう。これを解決する手段としては、アーム部材をコア材の側縁側に突出させた形状に形成することで隙間ができないようにしてもよく、折り畳まれた状態のコア材の中央部の横幅寸法を上下両端部に比べて長くしておいてもよい。
【発明の効果】
【００１８】
本発明では、保管時に体積を小さくすることができ、個々に分かれた部品が少なく、管理や組み立てが容易な組立式パネルを提供することが可能になった。
【図面の簡単な説明】
【００１９】
【図１】実施例１の組立式パネルを平面視した図であり、平面体の一部を切り欠いた状態を示した図である。
【図２】図１の組立式パネルを右方から見た図である。
【図３】実施例１のベース体におけるコア材を伸び縮みさせた状態を示す図である。図３（ａ）はベース体におけるコア材のセルが折り畳まれた状態を示す図であり、図３（ｂ）はベース体のコア材を伸ばした状態を示す図である。
【図４】図３に示したベース体における右側の各アーム部材を下方から見た部分拡大図である。図４（ａ）は上方のアーム部材であり、図４（ｂ）は下方のアーム部材である。
【図５】実施例１の組立式パネルを組み立てる状態を示す図である。図５（ａ）はコア材を収縮させた状態の図であり、図５（ｂ）はコア材を伸ばした状態の図であり、図５（ｃ）はアーム部材を回動し、アーム部材をコア材の側縁に近づけた状態の図である。
【図６】図５（ｃ）で示した状態のベース体を右方から見た図である。
【図７】図５（ｃ）で示した状態のベース体に平面体を被着する状態を示す斜視図である。
【図８】実施例１の組立式パネルを組み立てた状態を示す斜視図である。
【図９】実施例２のベース体におけるコア材を伸び縮みさせた状態を示す図である。図９（ａ）はベース体におけるコア材のセルが折り畳まれた状態を示す図であり、図９（ｂ）はベース体のコア材を伸ばした状態を示す図である。
【図１０】図９に示したベース体における各アーム部材を下方から見た部分拡大図である。図１０（ａ）は上方のアーム部材であり、図１０（ｂ）は下方のアーム部材である。
【図１１】実施例２の組立式パネルを組み立てる状態を示す図である。図１１（ａ）はコア材を収縮させた状態の図であり、図１１（ｂ）はコア材を伸ばした状態の図であり、図１１（ｃ）はアーム部材を回動し、アーム部材をコア材の側縁に近づけた状態の図である。
【図１２】図１１（ｃ）で示した状態のベース体に平面体を被着する状態を示す斜視図である。
【図１３】実施例２の組立式パネルを組み立てた状態を示す斜視図である。
【発明を実施するための形態】
【実施例】
【００２０】
実施例の組立式パネルにおける上下のフレーム部材がある方向をそれぞれ上方及び下方と表現する。
【００２１】
図１〜図８を用いて本発明の実施例１の組立式パネル１の説明を行う。図１、図２に示すように、実施例１の組立式パネル１は周囲を外枠２により囲われ、外枠２は上下の枠を上方のフレーム部材３及び下方のフレーム部材４で構成し、左右の枠を上方のアーム部材５と下方のアーム部材６とで構成し、外枠２の内方には伸縮自在なコア材７が配設されている。また、組立式パネル１の表裏面部には、外枠２及びコア材６を覆う平面体８を被着してある。
【００２２】
次に、組立式パネル１の各部品を個々に説明する。図３（ａ）に示すように、上方のフレーム部材３と下方のフレーム部材４とが向き合った内側面３ａ，４ａに伸縮自在に形成したハニカム状のコア材７を配設し、コア材７の上方の端縁７ａ及び下方の端縁７ｂと上方のフレーム部材の内側面３ａ及び下方のフレーム部材の内側面３ｂとを接着剤により貼り付け、固定してある。
また、図３（ｂ）に示すように、コア材７は隔壁により区画された複数のセル７ｃを有し、コア材７を上下方向に伸ばすことでコア材７の厚み方向の両端でセル７ｃが六角形に開口する。尚、コア材６は図３（ａ）に示すように複数のセル７ｃの開口を閉じて折りたたまれた状態でフレーム部材３に固定してあり、コア材７の側縁７ｄは中央に向かって外方に突出するように形成することで、コア材７を伸ばしたときにコア材７の側縁７ｄが真っ直ぐ形成されるようになる。
【００２３】
ここで、コア材７は、例えばＪＩＳ Ａ ６９３１：１９９４に規定されている折り畳み式のパネル用ペーパーコアを好適に用いることができる。図示しないが製造方法としては薄い帯状の基材に接着剤を一定のピッチで塗布し、基材を積層するたびに接着位置を半ピッチずつずらして複数の基材を重積接着することで多数の連続したセル７ｃが折り畳まれた状態で形成される。本実施例ではコア材７の材料は紙を用いて形成し、コア材７を伸ばした状態でのセル７ｃの形状を六角形になるよう形成してあるが、六角形以外の多角形、丸形、不等辺多角形などで形成してもよい。  
【００２４】
更に、上方のフレーム部材３の両端には棒状の上方のアーム部材５を連接してあり、上方のアーム部材５のフレーム部材３側の端部に凹部５ａを設けて部分的に強度を落とすことで、上方のアーム部材５を上方のフレーム部材３に対して回動（折り曲げ）させることが可能な回動部５ｂを形成してある。また、上方のフレーム部材３と同様に下方のフレーム部材４の両端には棒状の下方のアーム部材６が連接してあり、下方のアーム部材６の下方のフレーム部材４側の端部に凹部６ａを設けて薄肉に形成することで、下方のアーム部材６を下方のフレーム部材３に対して回動（折り曲げ）させることが可能な回動部６ｂを形成してある。更に、図４（ａ）に示すように、上方のアーム部材５の自由端部に係着部５ｃを設けてあり、係着部５ｃにＬ字状の鉤部５ｄを形成してある。また、図４（ｂ）に示すように下方のアーム部材６の自由端部には係着受部６ｃを設けてあり、上方のアーム部材５のＬ字状の鉤部５ｄに嵌め合い可能に形成した向きが逆のＬ字状の鉤部６ｄを設けてある。
ここで、上方のフレーム部材３、下方のフレーム部材４、上方のアーム部材５、下方のアーム部材６を構成する材料は紙、木材、合成樹脂、アルミなどを用いることができるが、実施例１の上方のフレーム部材３及び下方のフレーム部材４は厚紙を多数積層させて四角柱状に形成してあり、上方のアーム部材５及び下方のアーム部材６は上方のフレーム部材３及び下方のフレーム部材４の両端部から延出させ、フレーム部材とアーム部材とを一体に形成してある。
尚、コア材７とコア材７に接着固定した上方のフレーム部材３及び下方のフレーム部材４と上方のフレーム部材３及び下方のフレーム部材４にそれぞれ連接した上方のアーム部材５及び下方のアーム部材６とでベース体９が形成される。
また、上方のフレーム部材の表裏面部３ｂ及び下方のフレーム部材の表裏面部４ｂには剥離層１０ａを有する両面テープ１０が貼り付けてある。
【００２５】
また、上方のフレーム部材の表裏面部３ｂ及び下方のフレーム部材の表裏面部４ｄに系着される平面体８はベース体９全体を覆う大きさでカットしてある。平面体８は厚紙や樹脂製シートを用いることができ、その厚みは用途に合わせて任意に選択できるが、保管場所に合わせて任意の形態（例えばロール状にまるめるなど）に変形できるように薄く形成することが好ましい。実施例１では平面体８を組立式パネル１の組立時の寸法でカットした厚さ０．２ｍｍのクラフト紙を用いて形成してあるため筒状に丸めたり、折り畳んで保管することが可能である。
【００２６】
次に、図５（ａ）を用いて、実施例１の組立式パネル１におけるベース体９を保管するときの形態を説明する。
【００２７】
図５（ａ）に示すように保管するときのベース体９の形態は、ベース体９はセル７ｃを折り畳んでコア材７を収縮させ、上方のアーム部材５を回動部５ｂで回動して、上方のフレーム部材３と上方のアーム部材５とが並列になるように並べ、同様に下方のアーム部材６を回動部６ｂで回動して、下方のフレーム部材４と下方のアーム部材６とが並列になるように並べることで、ベース体９をコンパクトな状態にして、保管しやすい形態にまとめることができる。
【００２８】
次に、図５〜図９を用いて、実施例１の組立式パネル１を組み立てる状態を説明する。
【００２９】
組立時には、ベース体９を図５（ａ）保管する際の形態から図５（ｂ）に示すように、上方のフレーム部材３と下方のフレーム部材４とを離間させるようにしてコア材７を伸ばし、図５（ｃ）及び図６に示すように上方のアーム部材５及び下方のアーム部材６をコア材７の側縁７ｄ側に回動し、上方のアーム部材５に形成したＬ字状の鉤部５ｄを下方のアーム部材６のＬ字状の鍵部６ｄに嵌め合わせることで上方のアーム部材５と下方のアーム部材６とが係着される。これでベース体９により四角形状の外枠２が形成される。
更に、図７に示すように、上方のフレーム部材の表裏面部３ｂ及び下方のフレーム部材の表裏面部４ｂに貼り付けた両面テープ１０の剥離層１０ａを剥し、平面体８を貼り付けることで容易に図８に示した組立式パネル１が得られた。
【００３０】
次に、図９〜図１２を用いて本発明における実施例２について説明する。尚、実施例１と同様の部分は説明を省略する。
【００３１】
実施例２のベース体２９は、図９（ａ）及び図９（ｂ）に示すように上方のフレーム部材２３と下方のフレーム部材２４の間に伸縮自在なコア材２７を配し、コア材２７の上方の端縁２７ａと上方のフレーム部材２３の内側面２３ａを接着剤で貼り付けて固定し、下方の端縁２７ｂと下方のフレーム部材２４の内側面２４ａとを接着剤で貼り付けて固定してある。
また、コア材２７は折り畳まれた状態から伸ばした状態にすることで、六角形の貫通孔を有したセル２７ｃが広がりパネル状になるコア部材２７ｄを２つ並べて配し、２つのコア部材２７の間に厚紙を積層して形成した棒状の中間軸２７ｅを配してコア部材２７ｄと中間軸２７ｅとを接着剤で固定してある。
【００３２】
更に、上方のフレーム部材２３の一方の端部２３ｂから延出する上方のアーム部材２５を設け、上方のアーム部材２５の上方のフレーム部材２３側の端部に凹状の凹部２５ａを設けて部分的に強度を落とすことで、上方のアーム部材２５を上方のフレーム部材２３に対して回動（折り曲げ）することが可能な回動部２５ｂを形成してある。更に、図１０に示すように、上方のアーム部材２５の自由端部に係着部２５ｃを設け、係着部２５ｃに四角形の孔部２５ｄを形成し、上方のフレーム部材２３の他方の端部２３ｃには係着受部２３ｄを設け、係着受部２３ｄに四角形の突部２３ｅを設けてある。
これに対し、下方のフレーム部材２４には、一方の端部２４ｂに係着受部２４ｃを設け、係着受部２４ｃに四角形の突部２４ｄを形成してある。また、下方のフレーム部材２４の他方の端部２４ｅから延出する下方のアーム部材２６を設け、下方のアーム部材２６の下方のフレーム部材２４側の端部に凹状の凹部２６ａを設けることで、下方のアーム部材２６を上方のフレーム部材２４に対して回動（折り曲げ）することが可能な回動部２６ｂを形成してある。また、下方のアーム部材２６の自由端部に係着部２６ｃを設け、係着部２６ｃに四角形の孔部２６ｄを形成してある。
ここで、上方のフレーム部材２３及び下方のフレーム部材２４と、上方のアーム部材２５及び下方のアーム部材２６と、コア材２７とでベース体２９が形成される。
また、上方のフレーム部材２３の表裏面部２３ｆ及び下方のフレーム部材２４の表裏面部２４ｆとコア材の中間軸２７ｅの表裏面部２７ｆとに剥離層３０ａを有する両面テープ３０を貼り付けてある。
【００３３】
次に、図１１（ａ）を用いて、実施例１の組立式パネル１におけるベース体２９を保管するときの形態を説明する。
【００３４】
図１１（ａ）に示すように保管するときのベース体２９の形態は、セル２７ｃを折り畳んでコア材２７を収縮させ、上方のアーム部材２５を回動部２５ｂで回動して、上方のフレーム部材２３と上方のアーム部材２５とが並列になるように並べ、同様に下方のアーム部材２６を回動部２６ｂで回動して、下方のフレーム部材２４と下方のアーム部材２６とが並列になるように並べることで、ベース体２９をコンパクトな状態にして、保管しやすい形態にまとめることができる。
【００３５】
次に、図１１及び図１２を用いて、実施例２の組立式パネル２１を組み立てる状態を説明する。
【００３６】
図１１（ａ）の保管するときの形態のベース体２９を、図１１（ｂ）に示すようにコア材２７を伸ばし、図１１（ｃ）のように、上方のアーム部材２５及び下方のアーム部材２６をコア材の側縁２７ｇ側に回動し、上方のアーム部材２５に形成した四角形の孔部２５ｄを下方のフレーム部材２４の一方の端部２４ｂに設けた四角形の突部２４ｄに嵌め込み、同様に下方アーム部材２５に形成した四角形の孔部２６ｄと上方のフレーム部材２３の四角形の突部２３ｅとをはめ込むことで、四角形状の外枠２２が形成される。
ここで、図１２に示すように、上方のフレーム部材の表裏面部２３ｆ及び下方のフレーム部材の表裏面部２４ｆとコア材の中間軸２７ｅの表裏面部２７ｆとに貼り付けた両面テープ３０の剥離層３０ａを剥し、平面体２８を表面及び裏面貼り付けることで組立式パネル２１が得られた。
尚、実施例２ではコア材２７に中間軸２７ｅを設けたことで組立式パネル２１の中心を横断する軸が形成され組立式パネル２１の強度が向上すると共に、中間軸２７ｅにも平面体２８を貼り付けることで、平面体２８をしっかり固定することができた。
【産業上の利用可能性】
【００３７】
本発明による組立式パネルの構造は、災害時に用いる間仕切り用のパネルのほか、簡易ベッド、防寒用の床板、掲示用パネルなどに使用が可能である。
【符号の説明】
【００３８】
１…組立式パネル、
２…外枠、
３…上方のフレーム部材、３ａ…内側面、３ｂ…表裏面部、
４…下方のフレーム部材、４ａ…内側面、４ｂ…表裏面部、
５…上方のアーム部材、５ａ…凹部、５ｂ…回動部、５ｃ…係着部、５ｄ…Ｌ字状の鍵部、
６…下方のアーム部材、６ａ…凹部、６ｂ…回動部、６ｃ…係着部、６ｄ…Ｌ字状の鍵部、
７…コア材、７ａ…上方の端縁、７ｂ…上方の端縁、７ｃ…セル、７ｄ…側縁、
８…平面体、
９…ベース体、
１０…両面テープ、１０ａ…剥離層
２１…組立式パネル、
２２…外枠、
２３…上方のフレーム部材、２３ａ…内側面、２３ｂ…一方の端部、
２３ｃ…他方の端部、２３ｄ…係着受部、２３ｅ…四角形の突部、
２３ｆ…表裏面部、
２４…下方のフレーム部材、２４ａ…内側面、２４ｂ…一方の端部、
２４ｃ…係着受部、２４ｄ…四角形の突部、２４ｅ…他方の端部、
２４ｆ…表裏面部、
２５…上方のアーム部材、２５ａ…凹部、２５ｂ…回動部、２５ｃ…係着部、
２５ｄ…四角形の孔部、
２６…下方のアーム部材、２６ａ…凹部、２６ｂ…回動部、２６ｃ…係着部、
２６ｄ…四角形の孔部、
２７…コア材、２７ａ…上方の端縁、２７ｂ…下方の端縁、２７ｃ…セル、
２７ｄ…コア部材、２７ｅ…中間軸、２７ｆ…表裏面部、２７ｇ…側縁、
２８…平面体、
２９…ベース体、
３０…両面テープ、３０ａ…剥離層。
【図１】
2016176286.tif 000003
【図２】
2016176286.tif 000004
【図３】
2016176286.tif 000005
【図４】
2016176286.tif 000006
【図５】
2016176286.tif 000007
【図６】
2016176286.tif 000008
【図７】
2016176286.tif 000009
【図８】
2016176286.tif 000010
【図９】
2016176286.tif 000011
【図１０】
2016176286.tif 000012
【図１１】
2016176286.tif 000013
【図１２】
2016176286.tif 000014
【図１３】
2016176286.tif 000015